(57)【要約】【課題】空気調和機から冷媒漏れが生じたときに空調対象空間外へ短時間に冷媒を排出することができる空気調和システムを提供する。【解決手段】換気装置１２は、２つの熱交換器８６，８９を有しかつ２つの熱交換器８６，８９を交互に蒸発器又は凝縮器として機能させる冷媒回路６１と、空調対象空間の内外を各熱交換器８６，８９を経由して連通させる２系統の給気風路及び２系統の排気風路と、給気ファン３４と、排気ファン３３と、２系統の給気風路を開閉する給気用開閉機構８３と、２系統の排気風路を開閉する排気用開閉機構８４とを備え、コントローラ３６が、冷媒センサ２６による冷媒漏洩の検出で、給気ファン３４及び排気ファン３３の一方を作動して他方を停止し、給気風路及び排気風路のうち前記一方のファンに対応する一方の風路を２系統とも開きかつ前記他方の風路を２系統とも閉じるように給気用開閉機構８３及び排気用開閉機構８４を制御する。【選択図】図７
2020186821.tif 000002
【特許請求の範囲】
【請求項１】
冷媒との熱交換により調和空気を生成し空調対象空間に供給する空気調和機（１１）と、前記冷媒の漏れを検出する冷媒センサ（２６）と、前記空調対象空間の換気を行う換気装置（１２）と、前記換気装置（１２）を制御するコントローラ（３６）と、を備え、
前記換気装置（１２）は、空気に含まれる水分を吸着する吸着剤が担持された２つの熱交換器（８６，８９）を有しかつ前記２つの熱交換器（８６，８９）を交互に蒸発器又は凝縮器として機能させる冷媒回路（６１）と、前記空調対象空間の内部と外部とを前記各熱交換器（８６，８９）を経由して連通させる２系統の給気風路及び２系統の排気風路と、前記各給気風路を介して前記空調対象空間外の空気を前記空調対象空間内に供給する給気ファン（３４）と、前記各排気風路を介して前記空調対象空間内の空気を前記空調対象空間外へ排出する排気ファン（３３）と、２系統の前記給気風路を開閉する給気用開閉機構（８３）と、２系統の前記排気風路を開閉する排気用開閉機構（８４）と、を備え、
前記コントローラ（３６）は、前記冷媒センサ（２６）が冷媒の漏洩を検出したとき、前記給気ファン（３４）及び前記排気ファン（３３）のうち一方のファンを作動して他方のファンを停止し、前記給気風路及び前記排気風路のうち前記一方のファンに対応する一方の風路を２系統とも開きかつ他方の風路を２系統とも閉じるように前記給気用開閉機構（８３）及び前記排気用開閉機構（８４）を制御する、空気調和システム。
【請求項２】
前記コントローラ（３６）が、前記冷媒センサ（２６）が冷媒の漏洩を検出したとき、前記給気ファン（３４）及び前記排気ファン（３３）を交互に作動し、前記給気風路及び前記排気風路を交互に開閉する、請求項１に記載の空気調和システム。
【発明の詳細な説明】
【技術分野】
【０００１】
本開示は、空気調和システムに関する。
【背景技術】
【０００２】
特許文献１には、空調対象空間である室内の空調を行う空気調和機と、空調対象空間の換気を行う調湿装置とを備えた空気調和システムが記載されている。この調湿装置は、空気中の水分を吸着する吸着剤が担持された２つの熱交換器によって、交互に室外空気及び室内空気の一方を除湿し他方を加湿した後、室外空気を室内に供給し室内空気を室外に排出する。調湿装置のケーシング内には、室外から各熱交換器を経由して室内に給気する２系統の給気風路と、室内から各熱交換器を経由して室外に排気する２系統の排気風路と、２系統の給気風路を交互に切り替えて開閉するダンパと、２系統の排気風路を交互に切り替えて開閉するダンパとを有している。
【先行技術文献】
【特許文献】
【０００３】
【特許文献１】特開２０１４−１３７２０７号公報
【発明の概要】
【発明が解決しようとする課題】
【０００４】
上記のような空気調和システムにおいて、空気調和機から冷媒が漏れた場合には、短時間で冷媒を室外へ排出することが望ましい。しかし、特許文献１に記載された空気調和システムでは、冷媒の漏れについて特に考慮されていない。
【０００５】
本開示は、空気調和機から冷媒漏れが生じたときに空調対象空間外へ短時間に冷媒を排出することができる空気調和システムを提供することを目的とする。
【課題を解決するための手段】
【０００６】
（１）本開示の空気調和システムは、
冷媒との熱交換により調和空気を生成し空調対象空間に供給する空気調和機と、前記冷媒の漏れを検出する冷媒センサと、前記空調対象空間の換気を行う換気装置と、前記換気装置を制御するコントローラと、を備え、
前記換気装置は、空気に含まれる水分を吸着する吸着剤が担持された２つの熱交換器を有しかつ前記２つの熱交換器を交互に蒸発器又は凝縮器として機能させる冷媒回路と、前記空調対象空間の内部と外部とを前記各熱交換器を経由して連通させる２系統の給気風路及び２系統の排気風路と、前記各給気風路を介して前記空調対象空間外の空気を前記空調対象空間内に供給する給気ファンと、前記各排気風路を介して前記空調対象空間内の空気を前記空調対象空間外へ排出する排気ファンと、２系統の前記給気風路を開閉する給気用開閉機構と、２系統の前記排気風路を開閉する排気用開閉機構と、を備え、
前記コントローラは、前記冷媒センサが冷媒の漏洩を検出したとき、前記給気ファン及び前記排気ファンのうち一方のファンを作動して他方のファンを停止し、前記給気風路及び前記排気風路のうち前記一方のファンに対応する一方の風路を２系統とも開きかつ他方の風路を２系統とも閉じるように給気用開閉機構及び前記排気用開閉機構を制御する。
【０００７】
以上の構成によれば、空気調和機から冷媒が漏れたときに、給気ファン及び排気ファンの一方を作動し、前記給気風路及び前記排気風路の一方を２系統とも開くことで、給気又は排気の風路を拡大し、換気量を増やすことができる。
【０００８】
（２）好ましくは、前記コントローラが、前記冷媒センサが冷媒の漏洩を検出したとき、前記給気ファン及び前記排気ファンを交互に作動し、前記給気風路及び前記排気風路を交互に開閉する。
このような構成によって、空気調和機から冷媒が漏れたときに、給気ファン及び排気ファンを交互に作動し、前記給気風路及び前記排気風路を交互に開閉することで、給気と排気との双方を、風路を拡大した状態で交互に行うことができる。
【図面の簡単な説明】
【０００９】
【図１】本開示の一実施形態に係る空気調和システムの概略的な構成図である。
【図２】換気装置の概略構造を示す平面図、右側面図、及び左側面図である。
【図３】２系統の給気風路を流れる空気流及び２系統の排気風路を流れる空気流を簡略的に示す説明図である。
【図４】換気装置の冷媒回路の構成を示す配管系統図であって、(ａ)は第１の冷凍サイクル動作における冷媒の流れを示し、(ｂ)は第１の冷凍サイクル動作における冷媒の流れを示す。
【図５】第１換気運転の第１動作について説明するための概略図である。
【図６】第１換気運転の第２動作について説明するための概略図である。
【図７】第２換気運転である給気単独運転について説明するための概略図である。
【図８】第２換気運転である排気単独運転について説明するための概略図である。
【発明を実施するための形態】
【００１０】
以下、添付図面を参照しつつ、本開示の実施形態を詳細に説明する。
図１は、本開示の一実施形態に係る空気調和システム１０の概略的な構成図である。
空気調和システム１０は、空気調和機１１と、換気装置１２とを備えている。空気調和機１１は、室外機２１と室内機２２とを備えている。室内機２２と換気装置１２とは、部屋Ｒの天井裏のスペースＳ３に設置されている。ただし、室内機２２及び換気装置１２は、部屋Ｒの壁、床の上、天井の下等に設置されていてもよい。室内機２２と換気装置１２とは、部屋Ｒの同じ場所に限らず、別々の場所に設置されていてもよい。
【００１１】
［１．空気調和機の構成］
空気調和機１１は、圧縮機、熱交換器、膨張弁等を含む冷媒回路により蒸気圧縮式の冷凍サイクルを行うことによって、部屋Ｒの内部である室内空間（空調対象空間）Ｓ１の空気の温度を調整する。室外機２１と室内機２２とは冷媒回路を構成する冷媒配管２３で接続されている。室内機２２は、室内空間Ｓ１の空気を取り込み、その空気と冷媒との間で熱交換を行い、温度調整された調和空気を再び室内空間Ｓ１に吹き出すことによって、室内空間Ｓ１の温度を所望に調整する。
【００１２】
室内機２２は、コントローラ２４と、リモートコントローラ２５と、冷媒センサ２６とを備えている。
コントローラ２４（以下、「空調コントローラ」ともいう）は、室内機２２に収容されたファン、電動弁等の動作を制御する。空調コントローラ２４は、例えば、ＣＰＵ等のプロセッサ、ＲＡＭ、ＲＯＭ等のメモリを備えたマイクロコンピュータにより構成される。空調コントローラ２４は、メモリにインストールされたプログラムをプロセッサが実行することによって、所定の機能を発揮する。空調コントローラ２４は、後述する換気装置１２のコントローラ３６にも通信可能に接続されている。なお、空調コントローラ２４は、室外機２１に設けられていてもよいし、室外機２１及び室内機２２の双方に設けられていてもよい。
【００１３】
リモートコントローラ２５は、運転開始／運転停止の操作や、室内の温度、送風の強弱等の動作設定を行うために用いられる。リモートコントローラ２５は、室内機２２の空調コントローラ２４に有線又は無線で通信可能に接続されている。ユーザは、リモートコントローラ２５を使用することによって、遠隔で空気調和機１１を操作することができる。
【００１４】
冷媒センサ２６は、空気調和機１１の冷媒回路の冷媒配管等から漏洩した冷媒を検知する。冷媒センサ２６の検出信号は、空調コントローラ２４に入力される。冷媒センサ２６は、室内機２２の筐体内に設けられている。ただし、冷媒センサ２６は、室内機２２の筐体外に設けられていてもよい。冷媒センサ２６は、例えば、室内機２２に接続されたリモートコントローラ２５に設けられていてもよい。
【００１５】
［２．換気装置の構成］
換気装置１２は、室内空間Ｓ１の換気を行う。換気装置１２は、空気調和機１１（図１を参照）と連動して、あるいは、単独で運転される。換気装置１２は、ダクト４５ａ〜４５ｄを介して室外空間Ｓ２及び室内空間Ｓ１と接続されている。本実施形態の換気装置１２は、室内空間Ｓ１の換気と同時に湿度の調整も行う調湿装置により構成されている。
【００１６】
図２は、換気装置の概略構造を示す平面図、右側面図、及び左側面図である。
換気装置１２は、ケーシング５８と、開閉機構３５と、コントローラ３６（図１参照）と、冷媒回路６１（図４参照）とを備えている。
【００１７】
（２−１．ケーシングの構成）
ケーシング５８は、平面形状が矩形状で扁平な直方体の箱形に形成されている。具体的に、ケーシング５８は、底板５８ｅと、天板５８ｆと、４枚の側板（第１〜第４側板）５８ａ〜５８ｄとを備えている。これら底板５８ｅ、天板５８ｆ、及び側板５８ａ〜５８ｄによって囲まれた空間内に冷媒回路６１の一部や開閉機構３５等が収容されている。なお、以下の説明においては、図２の平面図における下側を前、上側を後、左側を左、右側を右として説明する。ケーシング５８の４枚の側板５８ａ〜５８ｄのうち、前側に配置された側板５８ａを第１側板、後側に配置された側板５８ｂを第２側板、左側に配置された側板５８ｃを第３側板、右側に配置された側板５８ｄを第４側板ともいう。
【００１８】
ケーシング５８の第２側板５８ｂには、還気取入口４１と、外気取入口４３とが形成されている。ケーシング５８の第３側板５８ｃには、排気吹出口４２が形成され、第４側板５８ｄには、給気吹出口４４が形成されている。還気取入口４１は、室内空間Ｓ１からの空気（還気）ＲＡをケーシング５８内に取り入れるために用いられる。排気吹出口４２は、ケーシング５８内に取り入れられた還気ＲＡを、排気ＥＡとして室外空間Ｓ２に排出するために用いられる。外気取入口４３は、室外空間Ｓ２からの空気（外気）ＯＡをケーシング５８内に取り入れるために用いられる。給気吹出口４４は、ケーシング５８内に取り入れられた外気ＯＡを、給気ＳＡとして室内空間Ｓ１に供給するために用いられる。
【００１９】
図１に示すように、外気取入口４３と排気吹出口４２とは、それぞれダクト４５ａ，４５ｂを介して室外空間Ｓ２に繋がっている。還気取入口４１と給気吹出口４４とは、ダクト４５ｃ，４５ｄを介して室内空間Ｓ１に繋がっている。
【００２０】
図２に示すように、ケーシング５８の内部は、第１調湿室６２、第２調湿室６３、還気側通路６４、外気側通路６５、給気側通路６６、排気側通路６７、給気ファン室６８、及び排気ファン室６９に区画されている。
ケーシング５８内における第１側板５８ａと第２側板５８ｂとの間には、これらの側板と平行に第１区画壁７０ａと第２区画壁７０ｂとが前後に並べて配置されている。第２側板５８ｂと第１区画壁７０ａとの間の空間は、第３区画壁７０ｃによって上下に区画され、上段側に還気側通路６４が形成され、下段側に外気側通路６５が形成されている。
【００２１】
第１区画壁７０ａと第２区画壁７０ｂとの間には、第１調湿室６２と第２調湿室６３とが設けられている。第１調湿室６２と第２調湿室６３とは、第４区画壁７０ｄによって左右に区画されている。第１調湿室６２には、後述する第１熱交換器８６が配置されている。第２調湿室６３には、後述する第２熱交換器８９が配置されている。
【００２２】
第２区画壁７０ｂのさらに前側には、第５区画壁７０ｅが設けられている。第２区画壁７０ｂと第５区画壁７０ｅとの間の空間は、第６区画壁７０ｆによって上下に区画され、上段側に給気側通路６６が形成され、下段側に排気側通路６７が形成されている。
給気側通路６６及び排気側通路６７の前側には、給気ファン室６８及び排気ファン室６９が設けられている。給気ファン室６８と排気ファン室６９とは、第７区画壁７０ｇによって左右に区画されている。
【００２３】
給気ファン室６８は、給気側通路６６と連通し、排気ファン室６９は、排気側通路６７と連通している。給気ファン室６８には、給気ファン３４が配置されている。排気ファン室６９には、排気ファン３３が配置されている。給気ファン室６８を形成する第４側板５８ｄには給気吹出口４４が形成され、排気ファン室６９を形成する第３側板５８ｃには排気吹出口４２が形成されている。
【００２４】
ケーシング５８は、「給気風路」と「排気風路」とを有する。
給気風路は、外気取入口４３から外気側通路６５、第１又は第２調湿室６２，６３、給気側通路６６、及び給気ファン室６８を通って給気吹出口４４に到るまでの空気の流路である。給気風路には、第１調湿室６２を通るものと、第２調湿室６３を通るものとの２系統がある。給気ファン３４が作動すると、各給気風路において空気流が生成される。
【００２５】
排気風路は、還気取入口４１から還気側通路６４、第１又は第２調湿室６２，６３、排気側通路６７、及び排気ファン室６９を通って排気吹出口４２に到るまでの空気の流路である。排気風路には、第１調湿室６２を通るものと、第２調湿室６３を通るものとの２系統がある。排気ファン３３が作動すると、各排気風路において空気流が生成される。
【００２６】
給気風路は、後述する給気用の開閉機構８３によって形成される。２系統の給気風路は、給気用の開閉機構８３によって交互に切り替えて開閉され、又は、同時に開閉される。
排気風路は、後述する排気用の開閉機構８４によって形成される。２系統の排気風路は、排気用の開閉機構８４によって交互に切り替えて開閉され、又は、同時に開閉される。
【００２７】
なお、２系統の風路が「交互に切り替えて開閉される」とは、一方の風路が開くと他方の風路が閉じる動作が交互に行われることをいう。２系統の風路が「同時に開閉される」とは、一方の風路と他方の風路とが同時に開くか又は同時に閉じることをいう。これらの動作を実現するため、給気用開閉機構８３及び排気用開閉機構８４がコントローラ３６によって制御される。
【００２８】
（２−２．開閉機構の構成）
以下、開閉機構３５について詳細に説明する。
開閉機構３５は、給気用開閉機構８３と、排気用開閉機構８４とからなる。開閉機構３５は、ケーシング５８の第１区画壁７０ａ及び第２区画壁７０ｂに設けられた複数のダンパ７１〜７８を有している。
【００２９】
第１区画壁７０ａには、４つの開閉式のダンパ７１〜７４が設けられている。各ダンパ７１〜７４は、横長の長方形の板状に形成されている。
第１区画壁７０ａのうち還気側通路６４に面する上段側には、第４区画壁７０ｄよりも右側に第１還気ダンパ７１が設けられ、第４区画壁７０ｄよりも左側に第２還気ダンパ７２が設けられる。
【００３０】
第１還気ダンパ７１を開くと、還気側通路６４と第１調湿室６２とが連通される。第１還気ダンパ７１を閉じると、還気側通路６４と第１調湿室６２が遮断される。
第２還気ダンパ７２を開くと、還気側通路６４と第２調湿室６３とが連通される。第２還気ダンパ７２を閉じると、還気側通路６４と第２調湿室６３とが遮断される。
【００３１】
第１区画壁７０ａのうち外気側通路６５に面する下段側には、第４区画壁７０ｄよりも右側に第１外気ダンパ７３が設けられ、第４区画壁７０ｄよりも左側に第２外気ダンパ７４が設けられる。
第１外気ダンパ７３を開くと、外気側通路６５と第１調湿室６２とが連通される。第１外気ダンパ７３を閉じると、外気側通路６５と第１調湿室６２とが遮断される。
第２外気ダンパ７４を開くと、外気側通路６５と第２調湿室６３とが連通される。第２外気ダンパ７４を閉じると、外気側通路６５と第２調湿室６３とが遮断される。
【００３２】
第２区画壁７０ｂには、４つの開閉式のダンパ７５〜７８が設けられている。各ダンパ７５〜７８は、横長の長方形の板状に形成されている。
第２区画壁７０ｂのうち給気側通路６６に面する上段側には、第４区画壁７０ｄよりも右側に第１給気ダンパ７５が設けられ、第４区画壁７０ｄよりも左側に第２給気ダンパ７６が設けられる。
【００３３】
第１給気ダンパ７５を開くと、給気側通路６６と第１調湿室６２とが連通される。第１給気ダンパ７５を閉じると、給気側通路６６と第１調湿室６２とが遮断される。
第２給気ダンパ７６を開くと、給気側通路６６と第２調湿室６３とが連通される。第２給気ダンパ７６を閉じると、給気側通路６６と第２調湿室６３とが遮断される。
【００３４】
第２区画壁７０ｂのうち排気側通路６７に面する下段側には、第４区画壁７０ｄよりも右側に第１排気ダンパ７７が取り付けられ、第４区画壁７０ｄよりも左側に第２排気ダンパ７８が取り付けられる。
第１排気ダンパ７７を開くと、排気側通路６７と第１調湿室６２とが連通される。第１排気ダンパ７７を閉じると、排気側通路６７と第１調湿室６２とが遮断される。
第２排気ダンパ７８を開くと、排気側通路６７と第２調湿室６３とが連通される。第２排気ダンパ７８を閉じると、排気側通路６７と第２調湿室６３とが遮断される。
【００３５】
図３は、２系統の給気風路を流れる空気流、及び２系統の排気風路を流れる空気流を、簡略的に示す説明図である。
第１及び第２外気ダンパ７３，７４、並びに、第１及び第２給気ダンパ７５，７６は、給気用開閉機構８３を構成している。第１及び第２還気ダンパ７１，７２、並びに、第１及び第２排気ダンパ７７，７８は、排気用開閉機構８４を構成している。
【００３６】
２系統の給気風路は、それぞれ次のダンパの動作により開かれる。
第１系統の給気風路：第１外気ダンパ７３及び第１給気ダンパ７５の開動作
第２系統の給気風路：第２外気ダンパ７４及び第２給気ダンパ７６の開動作
図３には、第１系統の給気風路を流れる空気流を符号Ｆａ１で示し、第２系統の給気風路を流れる空気流をＦａ２で示す。
【００３７】
２系統の排気風路は、それぞれ次のダンパの動作により開かれる。
第１系統の排気風路：第１還気ダンパ７１及び第１排気ダンパ７７の開動作
第２系統の排気風路：第２還気ダンパ７２及び第２排気ダンパ７８の開動作
図３には、第１系統の排気風路を流れる空気流を符号Ｆｂ１で示し、第２系統の排気風路を流れる空気流をＦｂ２で示す。
【００３８】
（２−３．冷媒回路の構成）
図４は、換気装置の冷媒回路を示す配管系統図である。
冷媒回路６１は、第１熱交換器８６、四路切換弁８７（切換機構）、圧縮機８８、第２熱交換器８９、及び電動膨張弁９０（膨張機構）を冷媒配管９１によって接続したものである。冷媒回路６１は、冷媒を循環させることによって蒸気圧縮式の冷凍サイクルを実行するように構成されている。圧縮機８８、四路切換弁８７等は給気ファン室６８に配置されている。
【００３９】
圧縮機８８は、その吐出側が四路切換弁８７の第１のポートに接続され、その吸入側が四路切換弁８７の第２のポートに接続されている。第１熱交換器８６の一端は、四路切換弁８７の第３のポートに接続されている。第１熱交換器８６の他端は、電動膨張弁９０に接続されている。第２熱交換器８９の一端は、四路切換弁８７の第４のポートに接続されている。第２熱交換器８９の他端は、電動膨張弁９０に接続されている。図２に示すように、第１熱交換器８６は、第１調湿室６２に配置され、第２熱交換器８９は、第２調湿室６３に配置されている。
【００４０】
圧縮機８８は、いわゆる全密閉型であり、インバータによって回転数が制御される容量可変型の圧縮機とされている。
第１熱交換器８６及び第２熱交換器８９は、いずれも、伝熱管と多数のフィンとを備えた、いわゆるクロスフィン型のフィン・アンド・チューブ式熱交換器により構成されている。第１熱交換器８６及び第２熱交換器８９の外表面には、その概ね全面に亘ってゼオライト等の吸着剤が担持されている。第１熱交換器８６及び第２熱交換器８９は、マイクロチャネル型の熱交換器であってもよい。
【００４１】
四路切換弁８７は、第１のポートと第３のポートとが連通しかつ第２のポートと第４のポートが連通する状態（図４（ａ）参照）と、第１のポートと第４のポートが連通しかつ第２のポートと第３のポートが連通する状態（図４（ｂ）参照）とに切り換え可能に構成されている。冷媒回路６１は、四路切換弁８７のポートの連通状態を切り換えることにより、冷媒循環方向を反転させる。冷媒循環方向の反転により、第１熱交換器８６が凝縮器として機能し、第２熱交換器８９が蒸発器として機能する第１の冷凍サイクル動作と、第１熱交換器８６が蒸発器として機能し、第２熱交換器８９が凝縮器として機能する第２の冷凍サイクル動作とが行われる。
【００４２】
（２−４．コントローラの構成）
図１に示すように、換気装置１２のコントローラ３６（以下、換気コントローラともいう）は、排気ファン３３、給気ファン３４、冷媒回路６１（圧縮機８８、四路切換弁８７、膨張弁９０等；図４参照）、及び開閉機構３５の動作を制御する。換気コントローラ３６は、ＣＰＵ等のプロセッサ、ＲＡＭ、ＲＯＭ等のメモリを備えたマイクロコンピュータ等からなる。換気コントローラ３６は、メモリにインストールされたプログラムをプロセッサが実行することによって、所定の機能を発揮する。換気コントローラ３６は、空気調和機１１の空調コントローラ２４に通信可能に接続されている。
【００４３】
（２−５．換気運転の詳細）
換気コントローラ３６は、排気ファン３３、給気ファン３４、冷媒回路６１、及び開閉機構３５の動作を制御することによって、通常の室内空間Ｓ１の換気のために行う第１換気運転と、冷媒漏洩に対応した第２換気運転とを切り替えて実行する。
【００４４】
＜２−５−１．第１換気運転＞
第１換気運転には、室内の除湿を行いながら換気を行う除湿換気運転と、室内の加湿を行いながら換気を行う加湿換気運転とが含まれる。
第１換気運転では、給気ファン３４と排気ファン３３とが駆動される。これにより、室外空間Ｓ２からの外気ＯＡが、外気取入口４３を通過してケーシング５８内に取り入れられ、室内空間Ｓ１からの還気ＲＡが還気取入口４１を通過してケーシング５８内に取り入れられる。
【００４５】
第１及び第２熱交換器８６，８９は、凝縮器と蒸発器とに交互に切り換えられる。第１換気運転では、ケーシング５８内に取り込まれた外気ＯＡが第１調湿室６２の第１熱交換器８６および第２調湿室６３の第２熱交換器８９のうち一方の熱交換器を通過して室内に供給され、ケーシング５８内に取り込まれた還気ＲＡが第１熱交換器８６および第２熱交換器８９のうち他方の熱交換器を通過して室外に排出されるように、ケーシング５８内における空気の流れが切り換えられる。具体的には、次の第１動作と第２動作とが３分間ずつ交互に繰り返し行われる。
【００４６】
（第１換気運転の第１動作）
第１換気運転の第１動作では、ケーシング５８内における給気風路及び排気風路が図５に示すように設定される。具体的には、第２還気ダンパ７２と第１外気ダンパ７３と第１給気ダンパ７５と第２排気ダンパ７８が開状態となり、第１還気ダンパ７１と第２外気ダンパ７４と第２給気ダンパ７６と第１排気ダンパ７７が閉状態となる。なお、図５において、閉状態のダンパにはハッチングが付されている。
【００４７】
これにより、ケーシング５８内に、第１系統の給気風路と第２系統の排気風路とが形成され、ケーシング５８内に取り込まれた外気ＯＡが第１熱交換器８６を通過して室内に供給され、ケーシング５８内に取り込まれた還気ＲＡが第２熱交換器８９を通過して室外に排出される。
【００４８】
この第１動作の間、除湿換気運転の場合は、図４（ｂ）に示すように、冷媒回路６１において第２冷凍サイクル動作が行われる。加湿換気運転の場合は、図４（ａ）に示すように、第１冷凍サイクル動作が行われる。
【００４９】
外気取入口４３を通過して外気側通路６５に取り込まれた外気ＯＡは、第１外気ダンパ７３を通過して第１調湿室６２に流入し、第１調湿室６２において第１熱交換器８６を通過して調湿（除湿又は加湿）される。具体的には、除湿換気運転では、外気ＯＡが蒸発器となっている第１熱交換器８６を通過して除湿および冷却され、加湿換気運転では、外気ＯＡが凝縮器となっている第１熱交換器８６を通過して加湿および加熱される。第１熱交換器８６において調湿された空気は、第１給気ダンパ７５と給気側通路６６と給気ファン室６８と給気吹出口４４とを順に通過して室内空間Ｓ１に供給される。
【００５０】
還気取入口４１を通過して還気側通路６４に取り込まれた還気ＲＡは、第２還気ダンパ７２を通過して第２調湿室６３に流入し、第２調湿室６３において第２熱交換器８９を通過して調湿（加湿又は除湿）される。具体的には、除湿換気運転では、還気ＲＡが凝縮器となっている第２熱交換器８９を通過して加湿および加熱され、加湿換気運転では、還気ＲＡが蒸発器となっている第２熱交換器８９を通過して除湿および冷却される。第２熱交換器８９において調湿された空気は、第２排気ダンパ７８と排気側通路６７と排気ファン室６９と排気吹出口４２とを順に通過して室外に排出される。
【００５１】
（第１換気運転の第２動作）
第１換気運転の第２動作では、ケーシング５８内における給気風路及び排気風路が図６に示すように設定される。具体的には、第１還気ダンパ７１と第２外気ダンパ７４と第２給気ダンパ７６と第１排気ダンパ７７が開状態となり、第２還気ダンパ７２と第１外気ダンパ７３と第１給気ダンパ７５と第２排気ダンパ７８が閉状態となる。これにより、ケーシング５８内に、第２系統の給気風路と第１系統の排気風路とが形成され、ケーシング５８内に取り込まれた外気ＯＡが第２熱交換器８９を通過して室内に供給され、ケーシング５８内に取り込まれた還気ＲＡが第１熱交換器８６を通過して室外に排出される。
【００５２】
この第２動作の間、除湿換気運転の場合は、図４（ａ）に示すように、冷媒回路６１において第１冷凍サイクル動作が行われる。加湿換気運転の場合は、図４（ｂ）に示すように、第２冷凍サイクル動作が行われる。
【００５３】
外気取入口４３を通過して外気側通路６５に取り込まれた外気ＯＡは、第２外気ダンパ７４を通過して第２調湿室６３に流入し、第２調湿室６３において第２熱交換器８９を通過して調湿（除湿又は加湿）される。具体的には、除湿換気運転では、外気ＯＡが蒸発器となっている第２熱交換器８９を通過して除湿および冷却され、加湿換気運転では、外気ＯＡが凝縮器となっている第２熱交換器８９を通過して加湿および加熱される。第２熱交換器８９において調湿された空気は、第２給気ダンパ７６と給気側通路６６と給気ファン室６８と給気吹出口４４とを順に通過して室内空間Ｓ１に供給される。
【００５４】
還気取入口４１を通過して還気側通路６４に取り込まれた還気ＲＡは、第１還気ダンパ７１を通過して第１調湿室６２に流入し、第１調湿室６２において第１熱交換器８６を通過して調湿（加湿又は除湿）される。具体的には、除湿換気運転では、還気ＲＡが凝縮器となっている第１熱交換器８６を通過して加湿および加熱され、加湿換気運転では、還気ＲＡが蒸発器となっている第１熱交換器８６を通過して除湿および冷却される。第１熱交換器８６において調湿された空気は、第１排気ダンパ７７と排気側通路６７と排気ファン室６９と排気吹出口４２とを順に通過して室外に排出される。
【００５５】
＜２−５−２．第２換気運転＞
冷媒漏洩に対応した第２換気運転は、空気調和機１１における冷媒が漏洩し、漏洩した冷媒を冷媒センサ２６が検出したときに行われる運転である。図１に示すように、室内機２２に設けられた冷媒センサ２６が、漏洩した冷媒を検出すると、その検出信号は空調コントローラ２４に入力される。空調コントローラ２４は、冷媒の漏洩が発生したことを示す情報（冷媒漏洩情報）を換気コントローラ３６に送信し、この冷媒漏洩情報に基づいて換気コントローラ３６が、排気ファン３３、給気ファン３４、及び開閉機構３５の動作を制御する。
【００５６】
図７は、第２換気運転である給気単独運転について説明するための概略図である。図８は、第２換気運転である排気単独運転について説明するための概略図である。
第２換気運転は、「給気単独運転」と、「排気単独運転」とからなる。「給気単独運転」は、室外空間Ｓ２からの外気ＯＡをケーシング５８に取り入れ、給気ＳＡとして室内空間Ｓ１に供給する動作のみを行う運転である。「排気単独運転」は、室内空間Ｓ１からの還気ＲＡをケーシング５８に取り入れ、排気ＥＡとして室外空間Ｓ２に排出する動作のみを行う運転である。
【００５７】
給気単独運転では、給気用開閉機構８３によって２系統の給気風路の双方が開いた状態とされ、排気用開閉機構８４によって２系統の排気風路の双方が閉じた状態とされる。具体的には、第１及び第２外気ダンパ７３，７４、第１及び第２給気ダンパ７５，７６が開き、第１及び第２還気ダンパ７１，７２、第１及び第２排気ダンパ７７，７８が閉じる。給気単独運転では、給気ファン３４が駆動され、排気ファン３３が停止される。このように２系統の給気風路の双方が開いた状態となることによって給気風路が拡大され、第１換気運転よりも換気量を増大させることができる。
【００５８】
排気単独運転では、排気用開閉機構８４によって２系統の排気風路の双方が開いた状態とされ、給気用開閉機構８３によって２系統の給気風路の双方が閉じた状態とされる。具体的には、第１及び第２還気ダンパ７１，７２、第１及び第２排気ダンパ７７，７８が開き、第１及び第２外気ダンパ７３，７４、第１及び第２給気ダンパ７５，７６が閉じる。
排気単独運転では、排気ファン３３が駆動され、給気ファン３４が停止される。このように２系統の排気風路の双方が開いた状態となることによって排気風路が拡大され、第１の運転よりも換気量を増大することができる。
【００５９】
以上の給気単独運転又は排気単独運転を行うことによって、室内空間Ｓ１から短時間に冷媒を排出することが可能となる。
換気コントローラ３６は、以上のような給気単独運転と排気単独運転とを、所定の時間ごと（例えば３分毎）に交互に切り換えて行うように、給気用開閉機構８３、排気用開閉機構８４、給気ファン３４、及び排気ファン３３を制御する。これにより、給気ＳＡによる換気と排気ＥＡによる換気とを効率よく行うことができる。さらに、換気コントローラ３６は、給気運転及び排気運転を行うときに冷媒回路６１の圧縮機８８の動作を停止し、空気と冷媒との間の熱交換及び調湿を行うことなく換気のみを行う。
【００６０】
［３．実施形態の作用効果］
上述した実施形態における空気調和システム１０は、冷媒との熱交換により調和空気を生成し室内空間（空調対象空間）Ｓ１に供給する空気調和機１１と、冷媒の漏れを検出する冷媒センサ２６と、室内空間Ｓ１の換気を行う換気装置１２と、換気装置１２を制御する換気コントローラ３６と、を備える。換気装置１２は、空気に含まれる水分を吸着する吸着剤が担持された２つの第１及び第２熱交換器８６，８９を有しかつ２つの熱交換器８６，８９を交互に蒸発器又は凝縮器として機能させる冷媒回路６１と、室内空間Ｓ１と室外空間Ｓ２とを各熱交換器８６，８９を経由して連通させる２系統の給気風路及び２系統の排気風路と、各給気風路を介して室外空間Ｓ２の空気を室内空間Ｓ１に供給する給気ファン３４と、各排気風路を介して室内空間Ｓ１の空気を室外空間Ｓ２へ排出する排気ファン３３と、２系統の給気風路を開閉する給気用開閉機構８３と、２系統の排気風路を開閉する排気用開閉機構８４と、を備える。換気コントローラ３６は、冷媒センサ２６が冷媒の漏洩を検出したとき、給気ファン３４及び排気ファン３３のうち一方のファンを作動して他方のファンを停止し、給気風路及び排気風路のうち一方のファンに対応する一方の風路を２系統とも開きかつ他方の風路を２系統とも閉じるように給気用開閉機構８３及び排気用開閉機構８４を制御する。
【００６１】
以上の構成により、空気調和機１１から冷媒が漏れたときに、給気ファン３４及び排気ファン３３の一方を作動し、給気風路及び排気風路の一方を２系統とも開くことで、給気又は排気の風路を拡大し、換気量を増やすことができる。そのため、短時間で室外空間Ｓ２へ冷媒を排出し、室内空間Ｓ１の冷媒濃度を低下させることができる。
【００６２】
以上の換気運転では、給気ファン３４及び排気ファン３３のうち一方のファンのみが駆動される。冷媒回路６１における圧縮機８８も停止される。そのため、換気装置１２の消費電力を低減することができる。
【００６３】
上記実施形態では、換気コントローラ３６が、冷媒センサ２６が冷媒の漏洩を検出したとき、給気ファン３４及び排気ファン３３を交互に作動し、給気風路及び排気風路を交互に開閉する。そのため、給気風路及び排気風路を交互に開閉し、効率よく室内空間Ｓ１の換気を行うことができる。
【００６４】
なお、本開示は、以上の例示に限定されるものではなく、特許請求の範囲によって示され、特許請求の範囲と均等の意味及び範囲内でのすべての変更が含まれることが意図される。
例えば、冷媒センサ２６は、換気装置１２に備えられていてもよく、冷媒センサ２６が冷媒の漏れを検出したときに、空気調和機１１からの指示によらずに換気装置１２が単独で第２換気運転を行ってもよい。冷媒センサ２６は、換気装置１２における冷媒の漏洩を検出するものであってもよい。
換気装置１２は、空気調和機１１のコントローラ２４によって動作が制御されてもよい。
【符号の説明】
【００６５】
１０    ：空気調和システム
１１    ：空気調和機
１２    ：換気装置
２６    ：冷媒センサ
３３    ：排気ファン
３４    ：給気ファン
３５    ：開閉機構
３６    ：換気コントローラ
５９    ：開閉機構
６１    ：冷媒回路
８３    ：給気用開閉機構
８４    ：排気用開閉機構
８６    ：第１熱交換器
８９    ：第２熱交換器
【図１】
2020186821.tif 000003
【図２】
2020186821.tif 000004
【図３】
2020186821.tif 000005
【図４】
2020186821.tif 000006
【図５】
2020186821.tif 000007
【図６】
2020186821.tif 000008
【図７】
2020186821.tif 000009
【図８】
2020186821.tif 000010